(57)【特許請求の範囲】
【請求項１】
芯材の表裏面に、ポスターを掲示するための金属製又は硬質樹脂製の前後の基板が重ね合わせられ、該芯材と該前後の基板が一体化されており、又、該前後の基板の夫々には開口部が設けられ、該前後の開口部を塞ぐように、該前後の基板間に、ポスターを止着する画鋲のピンを突き刺し状態で支持する支持片が介在されている選挙用の掲示板であって、
前記芯材は、金属製、木製或いは樹脂製の矩形枠で構成され、前記基板の外周縁が前記芯材の外周縁に合致せしめられており、又、前記矩形枠内において且つ前記前後の基板間に、ゴム質素材、コルク等の木質素材或いはフェルトからなる、前記支持片を構成する台座片が、前記前後の開口部を内側から覆うように設けられており、且つ、ゴム質素材、コルク等の木質素材或いはフェルトからなる、前記支持片を構成する嵌入突部が、前記台座片の表面及び裏面に接着されており、該嵌入突部の表面は前記基板の表面と面一であり、
又、前後の基板の夫々の表面に、該ポスターを掲示するための区画が上下二段に且つ左右方向に複数形成され、夫々の区画には、各候補者のポスター掲示場所を番号表示する数字が付されており、一方の基板の表面には、上から下に向けて数が一つ大きくなり且つ、右から左に向けて、或いは左から右に向けて数が二つ大きくなるように数字が付されると共に、他方の基板の表面には、上から下に向けて数が一つ大きくなり、且つ、右から左に向けて、或いは左から右に向けて数が三つ大きくなるように数字が付されていることを特徴とする選挙用の掲示板。
【請求項２】
前記前後の基板の夫々に設けられている前記開口部が対向状態であることを特徴とする請求項１記載の選挙用の掲示板。
【請求項３】
請求項１記載の選挙用の掲示板（第１の掲示板）と、ポスターを掲示するための区画が表面の左右方向に複数形成された第２の掲示板と、該第１の掲示板と該第２の掲示板とを取り付ける支柱枠体とからなる選挙用掲示装置であって、
前記第１の掲示板を、前記一方の基板を表にして支柱枠体に取り付けることにより、連続数字の付された各区画にポスターを掲示できる一方、該第１の掲示板を、表裏反転して前記支柱枠体に取り付けると共に、該第１の掲示板の下側に前記第２の掲示板を取り付けることによって、該第２の掲示板の各区画が、前記第１の掲示板の前記他方の基板に形成された区画に上下方向で連なるようになされており、該第２の掲示板の各区画に付された数字が、前記第１の掲示板の下段の区画に付された数字と連続するように数が大きくなる如く付されており、連続数字の付された各区画にポスターを掲示できることを特徴とする選挙用掲示装置。
【発明の詳細な説明】
【０００１】
【発明の属する技術分野】
本発明は、選挙用のポスターを掲示するために繰り返して使用可能であり、又、ポスターを確実且つ容易に、しかも外観よく掲示し得る選挙用の掲示板に関するものである。又、多数枚の選挙用のポスターを合理的に掲示し得る選挙用掲示装置に関するものである。
【０００２】
【従来の技術】
選挙用のポスターを掲示するための従来の掲示板は、通常、所要大きさのベニヤ板を以って形成され、角材や棒材等を組み合わせて形成した支柱枠体にネジ釘等を用いて取り付けられていた。そして、該掲示板の表面に設けられた区画にポスターを接着剤や粘着テープ等で貼り付け、又、適宜、画鋲止めすることが行われていた。
【０００３】
しかしながらベニヤ板からなる従来の掲示板は、日光や風雨に弱く、又、接着剤を除去しにくい等、汚損や破損が激しいために再利用に耐え難いものであった。そのため選挙用のポスター掲示板にあっては、選挙の度に新しく作られ、選挙が終わると取り壊されて焼却処分されていた。従って、選挙毎に大量のベニヤ板や角材、棒材が消費され、公営選挙費用の高騰を招くばかりか、資源の無駄使いともなっていた。
【０００４】
【特許文献１】
特開２００１−３３１１３５号公報（第３頁、図３）
【特許文献２】
実用新案登録第３０４７９４７号公報（第３−４頁、図２）
【０００５】
【発明が解決しようとする課題】
本発明は、前記従来の問題点に鑑みて開発されたもので、選挙用のポスターを掲示するために繰り返して使用可能な選挙用の掲示板の提供を課題とするものであり、又、多数枚の選挙用のポスターを合理的に掲示し得る選挙用掲示装置の提供を課題とするものである。
【０００６】
【課題を解決するための手段】
前記課題を解決するため本発明は以下の手段を採用する。
即ち本発明に係る選挙用の掲示板は、芯材の表裏面に、ポスターを掲示するための金属製又は硬質樹脂製の前後の基板が重ね合わせられ、該芯材と該前後の基板が一体化されており、又、該前後の基板の夫々には開口部が設けられ、該前後の開口部を塞ぐように、該前後の基板間に、ポスターを止着する画鋲のピンを突き刺し状態で支持する支持片が介在されている選挙用の掲示板である。前記芯材は、金属製、木製或いは樹脂製の矩形枠で構成され、前記基板の外周縁が前記芯材の外周縁に合致せしめられており、又、前記矩形枠内において且つ前記前後の基板間に、ゴム質素材、コルク等の木質素材或いはフェルトからなる、前記支持片を構成する台座片が、前記前後の開口部を内側から覆うように設けられており、且つ、ゴム質素材、コルク等の木質素材或いはフェルトからなる、前記支持片を構成する嵌入突部が、前記台座片の表面及び裏面に接着されており、該嵌入突部の表面は前記基板の表面と面一である。又、前後の基板の夫々の表面に、該ポスターを掲示するための区画が上下二段に且つ左右方向に複数形成され７夫々の区画には、各候補者のポスター掲示場所を番号表示する数字が付されており、一方の基板の表面には、上から下に向けて数が一つ大きくなり且つ、右から左に向けて、或いは左から右に向けて数が二つ大きくなるように数字が付されると共に、他方の基板の表面には、上から下に向けて数が一つ大きくなり、且つ、右から左に向けて、或いは左から右に向けて数が三つ大きくなるように数字が付されていることを特徴とするものである。
【０００７】
該選挙用の掲示板において、前後の基板の夫々に設けられている前記開口部を対向状態とするのがよい。
【０００８】
又本発明に係る選挙用掲示装置は、前記構成の選挙用の掲示板（第１の掲示板）と、ポスターを掲示するための区画が表面の左右方向に複数形成された第２の掲示板と、該第１の掲示板と該第２の掲示板とを取り付ける支柱枠体とからなる選挙用掲示装置であって、
前記第１の掲示板を、前記一方の基板を表にして支柱枠体に取り付けることにより、連続数字の付された各区画にポスターを掲示できる一方、該第１の掲示板を、表裏反転して前記支柱枠体に取り付けると共に、該第１の掲示板の下側に前記第２の掲示板を取り付けることによって、該第２の掲示板の各区画が、前記第１の掲示板の前記他方の基板に形成された区画に上下方向で連なるようになされており、該第２の掲示板の各区画に付された数字が、前記第１の掲示板の下段の区画に付された数字と連続するように数が大きくなる如く付されており、連続数字の付された各区画にポスターを掲示できることを特徴とするものである。
【０００９】
【発明の実施の形態】
以下、本発明の実施の形態を図面に基づいて説明する。
図１〜２において本発明に係る選挙用の掲示板１は、選挙用のポスター２を掲示する掲示板であり、支柱枠体５に着脱可能に取り付けられるものである。
【００１０】
図３は、かかる構成を有する掲示板１（本発明にいう第１の掲示板）の下側に縦連結の掲示板１ｂ（本発明にいう第２の掲示板）を連結し、且つ、該掲示板１，１相互を横方向に連結すると共に該縦連結の掲示板１ｂ，１ｂ相互を横方向に連結して、これらの掲示板を支柱枠体５に取り付けた状態を示すものである。
【００１１】
該掲示板１は、図４〜７に示すように、左右方向に長い５ｍｍ肉厚の芯材１８３の表裏面に、横長矩形板状を呈する１ｍｍ肉厚の前後の基板３，３を重ね合わせ、全体を一体化してなる薄板状に形成されている。
【００１２】
前記芯材１８３は、例えば、５ｍｍ肉厚で２０ｍｍ幅のアルミニウム製の上下左右の枠片１８５，１８６，１８７，１８８の端部相互を留継ぎして矩形枠１８９を形成し、該矩形枠１８９の左右の枠片１８７，１８８の中央部位相互を、１ｍｍ肉厚で２０ｍｍ幅のアルミニウム製の横桟１９０で連結した構成を有している。
【００１３】
本実施の形態においては、各接合部を補強するために、図８に示す如く、枠片相互の接合部の直角をなす内面１９１，１９２及び、左右の枠片１８７，１８８と前記横桟１９０との接合部に形成された直角をなす内面１９３，１９５にＬ字状補強片１９６の各片１９７，１９９を当接させ、該各片１９７，１９９を、接着やスポット溶接等の手段により前記内面に固定している。
【００１４】
又前記前後の基板３，３は、矩形板状をなす例えばアルミニウム板を以ってなり、その
表面２００には、図６〜１０に示すように、第１の区画１６と第２の区画１７が設けられると共に、各区画１６，１７には、直径が例えば２０ｍｍの円形の開口部２０が設けられている。該第１の区画１６には、左右２列で上下６個の開口部２０が設けられると共に、第２の区画１７には、左右２列で上下３個の開口部２０が設けられている。そして該前後の基板３，３には、夫々の開口部２０が同位置に設けられている。従って、前後の基板３，３を向かい合わせた状態で、図５に示すように、前後の開口部２０，２０が完全に合致する。
【００１５】
かかる構成を有する前後の基板３，３は、図４〜５に示すように、ゴム質素材からなる台座片２０２を挟んで、その外周縁２０３が前記芯材１８３の外周縁２０５に合致せしめられ、周縁部分２０６，２０６が前記矩形枠１８９の表裏の面２０７，２０９に当接状態とされ、且つ基板３，３の中間部分２１０が、前記横桟１９０の表裏の面２１１，２１２に当接状態とされている。このように形成された当接部分２１３は、該前後の基板３，３が前記芯材１８３に接着やスポット溶接、ビス止め等の手段で固定されることにより、芯材１８３の表裏面に固定されている。又、前記台座片２０２は、図４〜５に示すように、前記前後の基板３，３に設けた各開口部２０を内側から覆うように前後の基板３，３間に介在せしめられる。
【００１６】
該台座片２０２を前後の基板３，３間に介在させて該基板３，３と芯材１８３と台座片２０２とを一体化するには、図１１に示すように、一方の基板３ａ上に前記芯材１８３を、両者の外周縁２０３，２０５を合致させて載置し、この状態で該基板３ａと芯材１８３とを例えば接着により固定する。その後、上の枠片１８５と横桟１９０との間及び、横桟１９０と下の枠片１８６との間に、上下方向に並設された３個の開口部２０，２０，２０を図１１に一点鎖線で示すように同時に覆う如く、５ｍｍ肉厚で５０ｍｍの幅を有するゴム質素材からなる長方形板状の台座片２０２を嵌め入れ、前記基板３ａに接着する。その後、各台座片２０２の表面２１５及び前記芯材１８３の表面２１６に接着剤を塗布し、然る後、他方の基板３ｂを、図４〜５に示すように、その外周縁２０３を前記芯材１８３の外周縁２０５に合致させて、該芯材１８３及び台座片２０２を覆うように貼着する。これにより、該他方の基板３ｂに設けられた各開口部２０が前記台座片２０２により裏側から覆われた状態になる。これにより、前後の基板３，３と芯材１８３と各台座片２０２とが一体化される。然る後、図５、図９〜１０に示すように、前記台座片２０２の表面２１７及び裏面２１９に、前後の基板３，３に設けられている前記開口部２０に嵌め入れられる、ゴム質素材からなる直径が例えば２０ｍｍの円板状の嵌入突部４１を接着する。該台座片２０２と、これに接着された嵌入突部４１とにより、画鋲を突き刺し状態に保持する支持片３９が形成される。
【００１７】
又前記縦連結の掲示板１ｂは、本実施の形態においては図３、図１２〜１４に示すように、前記掲示板１と略同様の構成を有しており、その肉厚は、該掲示板１の肉厚と等しく形成されている。又、前記と同様にして、左右方向に長い５ｍｍ肉厚の芯材１８３の表裏面に、横長矩形板状を呈する１ｍｍ肉厚の前後の基板３，３を重ね合わせ、全体を一体化してなる薄板状に形成されているが、その上下長さは前記掲示板１の上下長さの略半分であることから、前記横桟１９０は省略されている。
【００１８】
図１５は、前記掲示板１のみを、その一方の基板３ａを表にして支柱枠体５に取り付けた状態を示すものであり、第２の区画１７が上下二段に形成されており、夫々の第２の区画１７には、各候補者のポスター掲示場所を番号表示する数字２２０が、図１５に示すように、上から下に向けて数が大きくなり且つ右（第１の区画１６側）から左に向けて数が大きくなるように付されている。
【００１９】
又図３は、前記掲示板１を垂直面内で図１６（Ａ）に矢印で示すように表裏反転して、図１６（Ｂ）に示すように、他方の基板３ｂを表にした状態で、該掲示板１を前記支柱枠体５に取り付けると共に、その下側に位置させて、前記縦連結の掲示板１ｂを支柱枠体５に取り付けた状態を示すものである。このように上下に取り付けられた掲示板１と縦連結の掲示板１ｂの表面には、図３に示すように、第２の区画１７が上下三段に形成されており、夫々の第２の区画１７には、各候補者のポスター掲示場所を番号表示する数字２２０が、図３に示すように、上から下に向けて数が大きくなり且つ右（第１の区画１６側）から左に向けて数が大きくなるように付されている。なお図１７は、掲示板１の下側に縦連結の掲示板１ｂを連結し、且つ、該掲示板１，１相互を横方向に連結すると共に該縦連結の掲示板１ｂ，１ｂ相互を連結して支柱枠体５に取り付けた状態を裏側から見た斜視図である。
【００２０】
前記数字２２０は、前記基板３に直接印刷してもよいのであるが、本実施の形態においては、図１８〜１９に示すように、第２の区画１７の外周縁部分に配置された６個の開口部２０の内側に位置させて、数字が記載された樹脂シート２２１を、剥離可能な接着剤により基板３に貼着して行っている。なお該樹脂シート２２１は、例えば０．３ｍｍ程度の肉厚のものを用いることができる。又該樹脂シート２２１は、透明シートでも半透明シートでも不透明シートでもよいが、基板３の表面に数字を直接付したと同様の印象を与える上からは、透明シートが好ましい。又本実施の形態においては、前記樹脂シート２２１の表面の外周縁に沿って、剥離紙２２２が貼着された両面粘着テープ２２３が例えば矩形枠状に貼着されている。従って、該剥離紙２２２を図１９に示すように引き剥がすことによって、図１８に示すように、ポスター２を貼着するための接着面２２５を形成できる。
【００２１】
図２０〜２１は、前記剥離紙２２２を引き剥がすことにより露出された接着面２２５にポスター２の裏面４９を接着させると共に、該ポスター２を、前記支持片３９に画鋲７１で止着した状態を示すものである。
このようにポスター２を画鋲止めした場合、本実施の形態においては、前後の基板３，３に設けられた開口部２０，２０が前後対向状態にあるため、一方の基板３ａ側で突き刺した画鋲のピン７２が、図２０に示すように、他方の基板３ｂに設けられた前記嵌入突部４１にも突き刺さった状態でポスター２を画鋲止めできるため、掲示板１をより薄く形成できながら、ポスター２の画鋲止めを確実に行うことが可能となる。
【００２２】
前記支柱枠体５は、図２２〜２３に示すように、左右の支柱２２６，２２６間を連結する上下の連結杆２２７，２２９と中間の連結杆２３０を具え、上下の連結杆２２７，２２９、中間の連結杆２３０の夫々の両端に、図２３に示すように固定孔２３１が設けられた１枚の固定片２２８が突設されている。
かかる構成を有する支柱枠体５に前記掲示板１を取り付けるには、図２４〜２５、図２６〜２７に示すような取着具２３２を用いて行う。
【００２３】
図１５に示すように、掲示板１単独を支柱枠体５に取り付ける場合は、図２４に示すように、該掲示板１の裏面の上下端の左右に位置させて上の取着具２３２ａと下の取着具２３２ｂを取り付ける。該上の取着具２３２ａは、図２６、図２８に示すように、掲示板１の裏面にビス２３３で固定される固着片２３５と、該固着片２３５の上端において後方に突出するように直角に屈曲された取付片２３６とからなり、該取付片２３６には、左右方向に稍長い取付け孔２３７が設けられている。又下の取着具２３２ｂは、図２６、図２８に示すように、掲示板１の裏面にビス２３３で固定される固着片２３５と、該固着片２３５の上端において後方に突出するように直角に屈曲された取付片２３６とからなり、該取付片２３６には、左右方向に稍長い取付け孔２３７が設けられている。なお、基板面を損傷しないように、固着片２３５を、図２６、図２８に示す如く、ゴム板等の緩衝材２３９を介在させてビス固定する。
【００２４】
然して、該取着具２３２ａ，２３２ｂを用いて、掲示板１を図１５に示すように支柱枠体５に取り付けるには、図２６に示すように、上下左右の取着具の有する取付片２３６を前記固定片２２８に載せると共に、連通状態にある前記固定孔２３１と取付け孔２３７に連結ピン２４０を上から落とし込み状態に挿入する。これにより、掲示板１は、上下左右の取着具を介して支柱枠体５に取り付けられることになる。
【００２５】
又、図３に示すように、前記掲示板１と縦連結の掲示板１ｂとを支柱枠体５の上下部分に取り付ける場合は、図２５に示すように、該掲示板１の裏面の上端左右に位置させて、前記上の取着具２３２ａ，２３２ａを取り付けると共に、該縦連結の掲示板１ｂの裏面の下端左右に位置させて、下の取着具２３２ｂ，２３２ｂを取り付ける。又、掲示板１と縦連結の掲示板１ｂとの接合部分に中間の取着具２３２ｃを取り付ける。
【００２６】
該上下の取着具２３２ａ，２３２ｂは、図２７、図２９に示すように、上の取着具２３２ａの固着片２３５が掲示板１の裏面にビス２３３で固定されると共に、該固着片２３５の上端において後方に突出するように取付片２３６が直角に屈曲されている。又、下の取着具２３２ｂの固着片２３５が縦連結の掲示板１ｂの裏面にビス２３３で固定されると共に、該固着片２３５の下端において後方に突出するように取付片２３６が直角に屈曲されている。又、前記中間の取着具２３２ｃは、図２７、図２９に示すように、上下に稍長い固着片２４１の上端において後方に突出するように、取付片２４２が直角に屈曲形成されており、該取付片２４２には、左右方向に稍長い取付け孔２３７が設けられている。該中間の取着具２３２ｃは、図２７、図２９に示すように、前記固着片２４１の上下部分２４１ａ，２４１ｂが、前記掲示板１の裏面の下端部分２４３と前記縦連結の掲示板１ｂの裏面の上端部分２４４に、ビス２３３で固定される。このように固定される左右の中間の取着具２３２ｃ，２３２ｃによって、掲示板１と縦連結の掲示板１ｂとが連結一体化される。
このように連結一体化した後、図２７に示すように、前記取着具の取付片２３６、取付片２４２を、前記支柱枠体５に設けられている対応の固定片２２８に載せると共に、連通状態にある固定孔２３１と取付孔２３７に連結ピン２４０を上から落とし込み状態に挿入すると、掲示板１と縦連結掲示板１ｂが、支柱枠体５の上下部分に取り付けられることになる。
【００２７】
図３、図１７は、前記掲示板１，１相互を横に連結し且つ前記縦連結の掲示板１ｂ，１ｂ相互を横に連結した状態を示すものである。この連結は、図３０〜３２に示すように、掲示板１及び縦連結の掲示板１ｂの側部に設けられた、左右隣り合う連結孔２４５，２４５に、コ字状連結具２４６の左右のネジ軸部２４７，２４７を、基板の表側から挿通させ、且つ、裏側に突出したネジ軸部２４７，２４７の先端側に座金２４８を介在させて袋ナット２４９を螺合し締め付けることによって行なう。
【００２８】
前後の基板３，３を、芯材１８３を挟んで全体を一体化することによって掲示板を構成する場合、嵌入突部４１を嵌め入れるために前後の基板３，３に設ける開口部２０，２０は、図３３〜３４に示すように対向状態に設けられない場合もあるが、このように構成するときは、前記台座片２０２を、ポスター２を止着するために突き刺した画鋲７１のピン７２の先端が、裏側の基板３に当たらない厚さに設定する必要がある。その結果、前記芯材１８３の厚さを厚く設定する必要が生ずるため、図５に示すように前後の開口部２０，２０を対向させる場合に比し、掲示板１や縦連結の掲示板１ｂの肉厚がより厚いものとなる。
【００２９】
芯材１８３の表裏面に基板３，３を重ね合わせて全体を一体化することによって掲示板を構成する場合、該芯材１８３は、前記したアルミニウム等の金属製であることの他、木製や樹脂製であってもよい。又、前記支持片３９を構成する前記台座片２０２や嵌入突部４１は、前記したゴム質素材からなるものの他、コルク等の木質素材やフェルト等の、ポスター支持に適した素材を用いて構成できる。そして該嵌入突部４１は、第１の面状ファスナーと第２の面状ファスナーとから構成してもよい。
【００３０】
又前記のように、樹脂シート２２１を基板３に貼着して数字２２０を付する場合、選挙が終わった後に、該樹脂シート２２１を引き剥がし、新たな樹脂シートを次回選挙に先立って貼着する他、前記接着面を除去し、次回選挙に先立って両面粘着テープを貼着することもある。又、基板３に樹脂シート２２１を貼着することによって数字を付す場合、ポスターを貼着するための前記両面粘着テープ２２３が樹脂シート２２１に貼着されないこともある。この場合は、ポスター２は、前記支持片３９において画鋲止めされる。
【００３１】
前記縦連結の掲示板１ｂは、その前後の基板３，３に第２の区画１７が設けられ、該区画に、ポスターの掲示場所を示す数字等が付されることもある。
【００３２】
又前記掲示板１の表裏反転は、図１６に示すように垂直面内で行なうことの他、図３５（Ａ）に示すように水平面内で行なってもよい。図３５（Ｂ）は、反転後の状態を示す。
【００３３】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【００３４】
(1) 本発明に係る掲示板を構成する基板に設ける開口部２０の配置状態は、ポスターを、接着や画鋲止めによって或いはその併用によって基板に止着できるように設定されるものである。
前記実施の形態で説明したように、ポスターの四隅部分に対応する部位に設けられることの他、例えば、ポスターの上縁部分にのみ設けられることもある。又、左右に位置する開口部の中間部分や左右に位置する凹部の中間部分に設けられることの他、ポスターの中央部分に対応する部位にも設けられることがある。
又、前記開口部２０の正面視の形態は、前記実施の形態で示したような円形を呈するものには特定されず、正方形状や長方形状に、又、楕円形状や半丸状、角形状に、更には、縦に長い溝状や横に長い溝状に、斜めに長い溝状等に形成されることもある。
そして、ポスターを支持する支持片３９が、これらの開口部２０の形態に合わせて設けられる。図３６はその一例を示すものであり、長方形状の開口部２０に、支持片３９の表面側をなす嵌入突部４１を嵌め入れ、且つ該嵌入突部４１の外周面１３７と前記開口部２０の内周面１３９との間に全周に亘って間隙１４０を形成した状態を示すものである。
【００３５】
(2) 前記基板３は、金属製の板体や硬質樹脂製の板体単独で構成されることの他、金属製の板体と硬質樹脂製の板体の複合板として構成されることもある。
【００３６】
【発明の効果】
本発明は以下の如き優れた効果を奏する。
【００３７】
(1) 本発明に係る選挙用の掲示板は、基板を金属製や硬質樹脂製としているため、従来のベニヤ板製の掲示板とは異なり再利用に耐え得る。従って、選挙毎に大量のベニヤ板や角材、棒材が消費されて公営選挙費用の高騰を招いたり資源の無駄使いとなる等の従来の問題点を解消し得ることとなる。
【００３８】
(2) ポスターを掲示するための前後の基板を芯材の表裏面に重ね合わせ、該芯材と前後の
基板を一体化して掲示板を構成するものとし、該前後の基板の夫々に設けられた開口部を塞ぐように、該前後の基板間に、ポスターを支持する支持片を介在させる構成を採用しているため、掲示板の表裏をポスター掲示のために有効利用できる。
即ち、該掲示板を、その一方の基板を表にしてこれを支柱枠体に取り付けることにより、該掲示板単独でポスターを掲示できる一方、該掲示板を反転して他方の基板を表にしてこれを支柱枠体に取り付けると共に、該掲示板の下側に位置させて、他の掲示板を該支柱枠体に取り付けることにより、掲示スペースを合理的に確保して、多数枚のポスターを合理的に掲示できることになる。
【００３９】
(3) 芯材の表裏面に前後の基板を重ね合わせ且つ全体を一体化して掲示板を構成する際、該前後の基板に設けられている開口部を対向状態としたときは、次のような特別な効果が得られる。
即ち、一方の基板の開口部において画鋲のピンを突き刺すことによりポスターを掲示する場合、他方の基板に設けられた開口部に存する支持片にもピンが突き刺さった状態でポスターを画鋲止めできるため、掲示板をより薄く形成できながら、ポスターの画鋲止めを確実に行い得る利点がある。
【００４０】
(4) 第１の掲示板と第２の掲示板とを用いる本発明に係る選挙用掲示装置によるときは、該第１の掲示板のいずれかの基板を利用して、ポスターを通常に掲示できる一方、該第１の掲示板を表裏反転して前記第２の掲示板と共に用いる場合は、ポスターの掲示場所を番号表示する数字が連続状態に付された拡大掲示面を形成できるため、多数枚の選挙用ポスターを合理的に掲示できる利点がある。
【図面の簡単な説明】
【図１】表裏がポスター掲示面とされた本発明に係る選挙用の掲示板をその表側から見た斜視図である。
【図２】その掲示板を裏側から見た斜視図である。
【図３】その掲示板の使用状態を示す斜視図である。
【図４】その掲示板を説明する一部欠切斜視図である。
【図５】その掲示板を説明する断面図である。
【図６】その掲示板の構成を説明する分解斜視図である。
【図７】その掲示板の構成を説明する分解斜視図である。
【図８】その掲示板を構成する芯材の構成を説明する平面図である。
【図９】その掲示板の構成を説明する部分斜視図である。
【図１０】その掲示板の構成を説明する部分斜視図である。
【図１１】その掲示板の組立工程を説明する斜視図である。
【図１２】第２の区画が一列のみ設けられた掲示板の構成を説明する一部欠切斜視図である。
【図１３】その掲示板の構成を説明する分解斜視図である。
【図１４】その掲示板の構成を説明する分解斜視図である。
【図１５】掲示板の使用状態を説明する斜視図である。
【図１６】掲示面が表裏に設けられた掲示板の表裏反転作業を説明する斜視図である。
【図１７】本発明に係る選挙用掲示装置の使用状態を示す斜視図である。
【図１８】掲示板にポスター掲示場所を番号表示する数字を付する態様の一例を示す斜視図である。
【図１９】掲示板にポスターを接着により掲示する工程を説明する斜視図である。
【図２０】ポスターを掲示板に止着した状態を示す断面図である。
【図２１】ポスターを掲示板に止着した状態を示す正面図である。
【図２２】本発明に係る選挙用掲示装置に用いる支柱枠体を示す斜視図である。
【図２３】その部分斜視図である。
【図２４】本発明に係る選挙用掲示装置を構成する第１の掲示板に、上下の取着具を取り付けた状態を示す斜視図である。
【図２５】上下連設された掲示板に、上下及び中間の取着具を取り付けた状態を示す斜視図である。
【図２６】第１の掲示板を支柱枠体に取り付けた状態を示す断面図である。
【図２７】第１及び第２の掲示板を支柱枠体に取り付けた状態を示す断面図である。
【図２８】第１の掲示板に上下の取着具を取り付けた状態を示す斜視図である。
【図２９】上下連設された掲示板に上下及び中間の取着具を取り付けた状態を示す斜視図である。
【図３０】左右隣り合う掲示板相互を連結した状態を示す断面図である。
【図３１】その連結状態を示す斜視図である。
【図３２】その連結構成を説明する斜視図である。
【図３３】前後の基板に設ける開口部が対向状態にない掲示板を説明する断面図である。
【図３４】前後の開口部が対向状態にない掲示板をその使用状態で示す断面図である。
【図３５】掲示板の表裏反転を水平面内で行なう場合を示す斜視図である。
【図３６】開口部の他の態様を示す正面図である。
【符号の説明】
１  掲示板
２  ポスター
３  基板
５  支柱枠体
１６  第１の区画
１７  第２の区画
２０  開口部
３９  支持片
４０  台座片
４１  嵌入突部
７１  画鋲
【要約】【課題】ポスターを掲示するために繰り返して使用でき、又、ポスターを確実且つ容易に、しかも外観よく掲示し得る掲示板を提供する。
【解決手段】アルミニウム板を用いて形成されたポスター掲示用の基板３を具える。基板３には、ポスター２を支持する支持片３９が有する嵌入突部４１を嵌め入れる開口部２０を設ける。支持片３９は、基板３の裏面に接着されるものであり、嵌入突部４１の表面は、基板３の表面１５と略面一に設定される。そして嵌入突部４１の表面は、ポスター２の裏面に接着する接着面５５とされている。
【選択図】        図７【図１】
0003574818.tif 000002
【図２】
0003574818.tif 000003
【図３】
0003574818.tif 000004
【図４】
0003574818.tif 000005
【図５】
0003574818.tif 000006
【図６】
0003574818.tif 000007
【図７】
0003574818.tif 000008
【図８】
0003574818.tif 000009
【図９】
0003574818.tif 000010
【図１０】
0003574818.tif 000011
【図１１】
0003574818.tif 000012
【図１２】
0003574818.tif 000013
【図１３】
0003574818.tif 000014
【図１４】
0003574818.tif 000015
【図１５】
0003574818.tif 000016
【図１６】
0003574818.tif 000017
【図１７】
0003574818.tif 000018
【図１８】
0003574818.tif 000019
【図１９】
0003574818.tif 000020
【図２０】
0003574818.tif 000021
【図２１】
0003574818.tif 000022
【図２２】
0003574818.tif 000023
【図２３】
0003574818.tif 000024
【図２４】
0003574818.tif 000025
【図２５】
0003574818.tif 000026
【図２６】
0003574818.tif 000027
【図２７】
0003574818.tif 000028
【図２８】
0003574818.tif 000029
【図２９】
0003574818.tif 000030
【図３０】
0003574818.tif 000031
【図３１】
0003574818.tif 000032
【図３２】
0003574818.tif 000033
【図３３】
0003574818.tif 000034
【図３４】
0003574818.tif 000035
【図３５】
0003574818.tif 000036
【図３６】
0003574818.tif 000037